(57)【要約】  【課題】第１搬送路と第２搬送路の２つの搬送路を備え、紙幣を金種別に２つの搬送路に分別して搬送することが可能な遊技島の遊技設備を提供する。【解決手段】複数の遊技台と、遊技媒体貸出機と、紙幣を搬送する紙幣搬送装置とを備えた遊技島の遊技設備において、紙幣が投入される投入口と、投入された紙幣の金種を識別する識別部とを前記紙幣搬送装置又は遊技媒体貸出機に備え、紙幣を搬送する第１搬送路及び第２搬送路と、前記識別部から前記各搬送路へ合流する位置に前記識別部によって識別された紙幣を前記各搬送路に分別する分別部とを前記紙幣搬送装置に備え、前記分別部は、前記識別部によって識別された紙幣の金種に応じて紙幣を前記第１搬送路及び第２搬送路に分別して搬送する。【選択図】      図２
2005253715.tif 000002
【特許請求の範囲】
【請求項１】
複数の遊技台と、遊技媒体貸出機と、紙幣を搬送する紙幣搬送装置とを備えた遊技島の遊技設備において、
紙幣が投入される投入口と、投入された紙幣の金種を識別する識別部とを前記紙幣搬送装置又は遊技媒体貸出機に備え、
紙幣を搬送する第１搬送路及び第２搬送路と、前記識別部から前記各搬送路へ合流する位置に前記識別部によって識別された紙幣を前記各搬送路に分別する分別部とを前記紙幣搬送装置に備え、
前記分別部は、前記識別部によって識別された紙幣の金種に応じて紙幣を前記第１搬送路及び第２搬送路に分別して搬送するよう構成したことを特徴とする遊技島の遊技設備。
【発明の詳細な説明】
【技術分野】
【０００１】
本発明は、複数の遊技台と、遊技媒体と交換するために投入された紙幣を識別し、識別された紙幣の金種に応じて紙幣を第１搬送路及び第２搬送路に分別して遊技島の端の紙幣収納装置に搬送する遊技島の遊技設備に関するものである。
【背景技術】
【０００２】
通常、遊技場においては、横方向に複数台の遊技台を設置して、遊技島を構築している。遊技島（紙幣が使用可能な島）は、直線状に横方向に配置された複数台の遊技台と、隣接した間に配置された遊技媒体貸出機（紙幣が投入可能な遊技媒体貸出機）と、各遊技媒体貸出機に投入された紙幣を島端まで搬送する紙幣搬送装置と、島端に設けられた紙幣収納装置と、から構築されている。このように構築された遊技島によれば、各遊技媒体貸出機に投入された紙幣は、遊技島内部等に設けられた紙幣搬送装置により島端まで搬送され、紙幣収納装置に整列して収納されるように構成されている。
【０００３】
上記した各遊技媒体貸出機においては、千円紙幣による貸出機が主流であった。そのため、五千円紙幣や一万円紙幣を使用する場合は、一旦千円紙幣に両替をしなければならず、その間遊技は中断され、遊技台の稼動率低下に繋がっていた。そのような背景から、昨今、高額紙幣（例えば、五千円紙幣や一万円紙幣）でも貸出し可能な遊技媒体貸出機が増加してきており、紙幣収納装置において紙幣を金種別に分別して回収することが望まれている。また、特に、遊技場においては千円紙幣の流通が他の高額紙幣（二千円、五千円、一万円）と比較して非常に多く、千円紙幣は主に両替用に再利用されるために、千円紙幣と他の高額紙幣とを分別して回収することが望まれている。
【特許文献１】特開平２００１−２７６４０６
【０００４】
上記した文献においては低額紙幣と高額紙幣を分別して回収する紙葉類回収装置が示されている。紙葉類回収装置は、メダル貸出機、投入された紙幣を搬送する紙幣搬送装置、搬送路内を搬送中の紙幣の金種を識別する紙幣識別装置、紙幣識別装置にて出力された識別信号に基づいて紙幣を金種によって振り分ける振分部を回動する振分ユニット、搬送されてきた紙幣を収納する紙幣収納金庫、島端を構成するとともに紙幣収納金庫を支持する妻板で構成されている。
【０００５】
メダル貸出機の紙幣投入口に投入された紙幣は、パチスロ島の内部に取り込まれ、さらに紙幣搬送装置にて主搬送路に沿って島端に搬送される。そして、主搬送路内を搬送中に紙幣識別装置にて紙幣の、読み取ったデータに基づいて識別信号を振分ユニットに出力する。振分ユニットでは、入力した識別信号に基づいて振分部を回動させ、紙幣をそれぞれ高額紙幣用の収納部と低額紙幣用の収納部との２つの収納部に振り分けて収納するようになっている。
【発明の開示】
【発明が解決しようとする課題】
【０００６】
通常、紙幣識別装置は、真紙幣であっても識別エラーと判定する可能性があり、１度真紙幣であると識別された紙幣であっても、再度紙幣識別装置に投入すると識別エラーとされることも実際に起こっている。また、逆に１度識別エラーとされた紙幣でも、再度投入すると真紙幣であると識別されることもある。このようなことから上記文献の紙葉類収納装置においても、メダル貸出機の紙幣識別装置によって真紙幣であると識別されて紙幣搬送装置によって搬送された紙幣でも、紙葉類収納装置の紙幣識別装置によって識別エラーとなる可能性があり、文献内には記されていないが識別エラーとなった紙幣を収納する第３の収納部を上記した２つの収納部とは別に設ける必要がある。しかし、そのような構成にするとコストが高くなるばかりか、前記した第３の収納部には低額紙幣と高額紙幣の両方が混ざった状態で収納されることもあるため、遊技場の店員の手を煩わせる要因となり、さらには、紙葉類収納装置が大型になり遊技島間の通路幅が狭くなっていた。
【０００７】
本発明は、以上の点に鑑みなされたもので、第１搬送路と第２搬送路の２つの搬送路を備え、紙幣を金種別に前記した２つの搬送路に分別して搬送することが可能な遊技島の遊技設備を提供することを目的とする。
【課題を解決するための手段】
【０００８】
上記した目的は、複数の遊技台と、遊技媒体貸出機と、紙幣を搬送する紙幣搬送装置とを備えた遊技島の遊技設備において、
紙幣が投入される投入口と、投入された紙幣の金種を識別する識別部とを前記紙幣搬送装置又は遊技媒体貸出機に備え、
紙幣を搬送する第１搬送路及び第２搬送路と、前記識別部から前記各搬送路へ合流する位置に前記識別部によって識別された紙幣を前記各搬送路に分別する分別部とを前記紙幣搬送装置に備え、
前記分別部は、前記識別部によって識別された紙幣の金種に応じて紙幣を前記第１搬送路及び第２搬送路に分別して搬送するよう構成したことによって達成される。
【発明の効果】
【０００９】
以上のように本発明の構成によれば、複数の遊技台と、遊技媒体貸出機と、紙幣を搬送する紙幣搬送装置とを備えた遊技島の遊技設備において、
紙幣が投入される投入口と、投入された紙幣の金種を識別する識別部とを紙幣搬送装置又は遊技媒体貸出機に備え、
紙幣を搬送する第１搬送路及び第２搬送路と、識別部から前記各搬送路へ合流する位置に識別部によって識別された紙幣を各搬送路に分別する分別部とを紙幣搬送装置に備え、
分別部は、識別部によって識別された紙幣の金種に応じて紙幣を第１搬送路及び第２搬送路に分別して搬送するよう構成したことにより、
紙幣を千円紙幣と高額紙幣とに分別して回収することができ、千円紙幣を両替用として再利用する場合においても、非常に容易に行える。
【００１０】
また、識別部にて識別エラーと判定された紙幣は返却され、正規であると識別された紙幣は識別された直後に分別部（搬送分別ガイド）にて分別された状態で紙幣収納装置に送られるので、紙幣収納装置に識別装置や識別エラーとなった紙幣を収納するための収納部を設ける必要がなく、コストの低減に繋がる上に、識別エラーとなった紙幣を店員の手によって分別するという手間をなくすことが出来る。また、紙幣収納装置の小型化が可能になり、遊技島間の通路幅を広くすることが出来る。
【００１１】
また、遊技場においては千円紙幣の流通が他の高額紙幣より多く、第１搬送路の方が、紙幣詰まりが起こる可能性が高いので、第１搬送路を遊技客から見て手前側に、第２搬送路を奥側に設けることにより、第１搬送路におけるメンテナンスがし易い。
【実施例１】
【００１２】
以下、本発明の第１の実施例を、図面に従って説明する。図１は、本発明にかかる紙幣搬送装置が適用される遊技島１０の概略構成を示す図である。遊技島１０は、複数の遊技台１２を横方向に配列して構成される。図示する遊技台１２はスロットマシンとして示されているが、他の種類、例えばパチンコ台であってもよい。また、店内のレイアウトにより遊技台１２を図の背面側に、図示する遊技台１２と背中合わせとなるように配列することも可能である。各遊技台１２の間には、遊技媒体貸出機１４が配置される。また、各遊技台１２の上方の前面側には紙幣搬送ユニット２０が配置され、各紙幣搬送ユニット２０が横方向に連なって紙幣搬送装置１６を構成している。紙幣搬送ユニット２０が配置されたさらに上方には、ストック箱を置いておく玉箱収納部１８が設けられている。遊技島１０の端には紙幣収納装置４０が設けられている。
【００１３】
図２は、紙幣搬送ユニット２０に紙幣収納装置４０を接続した状態を示した内部上面図であり、図３は紙幣搬送ユニット２０の内部正面図である。紙幣搬送ユニット２０は、紙幣を投入する投入口２２と、投入された紙幣を搬送する搬送路２８を含む。投入口２２に投入された紙幣は、同じ紙幣搬送ユニット２０に属する搬送路２８に送られ、さらに、この搬送路２８によって図中左隣の紙幣搬送ユニット２０に送られる。搬送路２８は、並設された２つの搬送路で構成され、１つは千円紙幣を搬送するための第１搬送路２８ａ（手前側）であり、もう１つは二千円、五千円、一万円を搬送するための第２搬送路２８ｂ（奥側）とである。搬送される紙幣は、遊技島１０の端（図中左端）の紙幣搬送ユニット２０においては、遊技島１０の端に設けられた紙幣収納装置４０に送られる。第１搬送路２８ａから送られてきた千円紙幣は、紙幣収納装置４０内の第１収納部４４ａに送られ収納される。第２搬送路２８ｂから送られてきた二千円、五千円、一万円紙幣は、紙幣収納装置４０内の第２収納部４４ｂに送られ収納される。
【００１４】
また、投入口２２に紙幣が投入されると、これに対応した数の遊技媒体が遊技媒体貸出機１４の払出口１４ａから払出される。遊技媒体は、遊技台１２の種類によって異なり、スロットマシンであればメダルであり、パチンコ台であればパチンコ玉である。
【００１５】
紙幣搬送ユニット２０は、前述のように紙幣を投入する縦型の投入口２２、投入された紙幣、または隣接する紙幣搬送ユニット２０から送られて来た紙幣を搬送する搬送路２８を含む。図示される紙幣搬送ユニット２０の場合、紙幣は右から左へと向けて送られる。
【００１６】
紙幣搬送ユニット２０内部の投入口２２付近には、投入された紙幣を真正なものか識別し、正規のもののみ搬送路に向けて送り出す識別部２４が配置されている。識別部２４には、紙幣の表面に描かれた図柄を識別する光学センサおよび磁気センサ（共に不図示）が配置され、登録された紙幣の図柄による検出パターンと、投入された紙幣のパターンとを比較して不正紙幣の判定を行う。本実施形態においては、昨今流通紙幣として使用されている千円、二千円、五千円、一万円の４金種の検出パターンを内部記憶し、投入を受け付けることができ、判別可能となっている。
【００１７】
識別中の紙幣は、もしそれが不正な紙幣か、若しくは正規であっても識別エラーと判定された紙幣である場合は返却されるので、搬送路２８へ送ることができない。言い換えれば、紙幣の真偽の確認が終わるまで、紙幣を搬送路２８から分離しておく必要がある。紙幣搬送ユニット２０においては、識別中の紙幣は、前述の搬送路２８に並行して配置された識別搬送路２５内に留まるようになっており、真正なものと判断された後、上流側から送られる紙幣と重ならないタイミングで搬送路２８へと送り出される。この新たに投入された紙幣の搬送は、識別部２５内に備えられた識別搬送モータ（不図示）の駆動力により、行われる。
【００１８】
搬送路２８には、千円紙幣と高額紙幣を第１搬送路２８ａと第２搬送路２８ｂに分別する分別部としての搬送分別ガイド２６が搬送方向側を軸に回動可能な状態でソレノイド３８と連動して設けられ、識別部２４にて千円紙幣と識別されると第１搬送路２８ａ側に搬送されるように回動し（図２）、二千円、五千円、一万円と識別されると第２搬送路２８ｂ側に搬送されるように回動する（図４）。上流側から紙幣が送られてきている場合は、搬送分別ガイド２６は図２に示す位置にて待機し、上流側からの紙幣が搬送分別ガイド２６を通過した後、図４の位置（高額紙幣の場合）へと回動する。
【００１９】
搬送路２８の搬送分別ガイド２６から下流側の、搬送分別ガイド付近及び下流端の位置には従動プーリ３２が設けられ、その２つの従動プーリ３２には搬送ベルト３４が巻回されている。また、搬送分別ガイド２６から上流側の、搬送分別ガイド付近及び上流端の位置にも上流側と同様に従動プーリ３２が設けられ、その２つの従動プーリ３２に搬送ベルト３４が巻回されている。搬送モータ（不図示）の駆動により従動プーリ３２が回転し搬送ベルト３４が下流方向へ移動するよう構成されている。搬送ベルト３４の両側には複数の案内プーリ３６が搬送ベルト３４に圧接された状態で回転自在に設けられている。
【００２０】
このような構成から、識別部２４から送られた紙幣Ｓは搬送ベルト３４と案内プーリ３６に挟持された状態で下流側へ搬送される。また、搬送ベルトと搬送ベルトの手前側に設けられた案内プーリ３６とによって搬送される側を第１搬送路２８ａとし、搬送ベルトと搬送ベルトの奥側に設けられた案内プーリ３６とによって搬送される側を第２搬送路２８ｂとしている。
【００２１】
搬送分別ガイド２６によって第１搬送路２８ａに搬送された千円紙幣は、左隣に設置された紙幣搬送ユニット２０の第１搬送路２８ａに送られる。搬送される紙幣は、遊技島１０の端（図中左端）の紙幣搬送ユニット２０においては、遊技島１０の端に設けられた紙幣収納装置４０に送られる。第１搬送路２８ａから送られてきた千円紙幣は、紙幣収納装置４０内の第１収納部４４ａに送られ収納される。
【００２２】
また、搬送分別ガイド２６によって第２搬送路２８ｂに搬送されたニ千円、五千円、一万円紙幣は、左隣に設置された紙幣搬送ユニット２０の第２搬送路２８ｂに送られる。搬送される紙幣は、遊技島１０の端の紙幣搬送ユニット２０においては、遊技島１０の端に設けられた紙幣収納装置４０に送られる。第２搬送路２８ｂから送られてきた二千円、五千円、一万円紙幣は、紙幣収納装置４０内の第２収納部４４ｂに送られ収納される。
【００２３】
上記したように構成することにより、紙幣を千円紙幣と高額紙幣とに分別して回収することができ、千円紙幣を両替用として再利用する場合においても、非常に容易に行える。
【００２４】
また、識別部２４にて識別エラーと判定された紙幣は返却され、正規であると識別された紙幣は識別された直後に搬送分別ガイド２６にて分別された状態で紙幣収納装置４０に送られるので、紙幣収納装置４０に識別装置や識別エラーとなった紙幣を収納するための収納部を設ける必要がなく、コストの低減に繋がる上に、識別エラーとなった紙幣を店員の手によって分別するという手間をなくすことが出来る。また、紙幣収納装置４０の小型化が可能になり、遊技島間の通路幅を広くすることが出来る。
【００２５】
さらに、遊技場においては千円紙幣の流通が他の高額紙幣より多く、第１搬送路２８ａのほうが、紙幣詰まりが起こる可能性が高いので、第１搬送路２８ａを遊技客から見て手前側に、第２搬送路２８ｂを奥側に設けることにより、第１搬送路２８ａにおけるメンテナンスがし易い。
【００２６】
また、紙幣を千円紙幣と他の高額紙幣（二千円、五千円、一万円）とを分別して搬送する構成を示したが、千円紙幣と二千円紙幣を第１搬送路２８ａに、五千円紙幣と一万円紙幣を第２搬送路２８ｂに分別するなど、如何なる金種ごとに分別しても良い。また、２００４年７月からは新紙幣（千円、五千円、一万円）が発行され、発行当初は新旧計７金種の紙幣が流通することになるが、新旧２種類の千円紙幣を第１搬送路２８ａに、他の５種類の金種を第２搬送路２８ｂに分別しても良い。また、新紙幣と旧紙幣とに分別しても良い。
【００２７】
また、紙幣搬送ユニット２０に識別部２４を設け、紙幣搬送ユニット２０を遊技島１０の上方前面側に設置した構成としたが、図５及び図６に示すように投入口２２及び識別部２４を遊技媒体貸出機内に設け、紙幣搬送ユニット２０の搬送路２８を遊技島１０の内部に設置した構成としても良い。
【００２８】
また、紙幣搬送ユニット２０が個々の遊技台に対応して横方向に連なって紙幣搬送装置１６を構成していることを示したが、図７に示すように、紙幣搬送装置を複数の遊技台に対応して１体に構成されたものであっても良い。
【図面の簡単な説明】
【００２９】
【図１】本発明の紙幣搬送装置を備えた遊技島の構成を示す図である。
【図２】本発明の紙幣搬送ユニットに紙幣収納装置を接続した状態を示した図である。
【図３】本発明の紙幣搬送ユニットを示す図である。
【図４】本発明の紙幣搬送ユニットを示す図である。
【図５】本発明の他の実施例における遊技島の構成を示す図である。
【図６】本発明の他の実施例における紙幣搬送ユニットを示す図である。
【図７】本発明の他の実施例における紙幣搬送装置を示す図である。
【符号の説明】
【００３０】
１０    遊技島  １２    遊技台  １４    遊技媒体貸出機  １６    紙幣搬送装置  ２０    紙幣搬送ユニット  ２２    投入口  ２４    識別部  ２６    搬送分別ガイド（分別部）  ２８    搬送路  ２８ａ  第１搬送路  ２８ｂ  第２搬送路
【図１】
2005253715.tif 000003
【図２】
2005253715.tif 000004
【図３】
2005253715.tif 000005
【図４】
2005253715.tif 000006
【図５】
2005253715.tif 000007
【図６】
2005253715.tif 000008
【図７】
2005253715.tif 000009